(57)【特許請求の範囲】
【請求項１】
糊代片、側パネル、後パネル、側パネル、前パネル、補助パネル、表示パネルが折れ線を介して折り曲げ可能に連設され、前記後パネルの下辺には底下パネルが折れ線を介して折り曲げ可能に連設され、前記前パネルの上辺には天パネルが、下辺には底パネルが折れ線を介して折り曲げ可能に連設され、前記表示パネルの上辺には天下パネルが折れ線を介して折り曲げ可能に連設され、前記両側パネルの上辺および下辺には折り込み片がそれぞれ折れ線を介して折り曲げ可能に連設されたブランクから各パネルを折り曲げて、前記後パネルに表示パネルを重ね合わせて組み立ててなるカートンであって、前記補助パネルと前記表示パネルとの間を切り取り可能な折れ線とし、前記後パネルの前記表示パネルを重ね合わせた前記領域に切り取り手段により切り取り可能なカード形状の切り取り部を設け、前記後パネルの前記表示パネルを重ね合わせた前記領域の前記切り取り部以外の領域で前記後パネルに前記表示パネルを部分的に接着して重ね合わせたことを特徴とする表示パネル付き易開封性カートン。
【発明の詳細な説明】
【０００１】
【発明の属する技術分野】
この発明は、食品、医薬品等の説明文を多く記載しなければならない商品で保管したい情報を部分的に簡単に切り取り保管できる表示パネル付き易開封性カートンに関するものである。
【０００２】
【従来の技術】
従来から、食品、医薬品等の内容物を収納したカートンにおいて、商品についての内容説明、使用方法等の情報は、これらの内容物を収納するカートンの表面に印刷されている。それらの情報の中から料理のレシピなどの部分を保管する場合には、カートンのまま保管するか、ハサミなどを使用して切り取って保管していた。
【０００３】
【発明が解決しようとする課題】
しかしながら、内容説明、使用方法等の情報をカートンの表面に印刷する場合には、カートンの表面積によって印刷する部分が限定されるため、充分な量の内容説明、使用方法等の情報を記載することができないという問題があった。
【０００４】
また、料理のレシピなど保管する必要のある情報は、カートンのまま保管するか、ハサミなどを使用して切り取る必要があり、消費者にとっては不便な状況であった。
【０００５】
本発明は、カートンに記載できる表面積を増やすために、表示パネルを設けると共に、保管する必要のある情報を記載した部分を簡単にカード状に切り取ることができる表示パネル付き易開封性カートンを提供することを目的とするものである。
【０００６】
【課題を解決するための手段】
上記の目的を達成するために、本発明は、糊代片、側パネル、後パネル、側パネル、前パネル、補助パネル、表示パネルが折れ線を介して折り曲げ可能に連設され、前記後パネルの下辺には底下パネルが折れ線を介して折り曲げ可能に連設され、前記前パネルの上辺には天パネルが、下辺には底パネルが折れ線を介して折り曲げ可能に連設され、前記表示パネルの上辺には天下パネルが折れ線を介して折り曲げ可能に連設され、前記両側パネルの上辺および下辺には折り込み片がそれぞれ折れ線を介して折り曲げ可能に連設されたブランクを組み立ててなるカートンであって、前記後パネルの前記表示パネルを重ね合わせた前記領域に切り取り手段により切り取り可能な切り取り部を設け、前記後パネルの前記表示パネルを重ね合わせた前記領域の前記切り取り部以外の領域で前記後パネルに前記表示パネルを部分的に接着して重ね合わせたことを特徴とする表示パネル付き易開封性カートンである。
【０００７】
本発明によれば、表示パネルを設けることにより、カートンに記載できる表面積を増やすことができると共に、必要な情報を記載した部分を簡単にカード状に切り取り保管することができる表示パネル付き易開封性カートンを得ることができる。
【０００８】
【発明の実施の形態】
以下、図面を用いて本発明の実施の形態を説明する。なお、幾つかの図面に渡って同一または同様な部分には同一の符号を付けている。
【０００９】
図１は本発明の表示パネル付き易開封性カートンの実施の形態の一実施例を示す斜視図である。表示パネル付き易開封性カートンＡは、四つの側面１と天部２と底部３とからなる直方体形状のカートンであり、側面１が側パネル１１、後パネル１２、側パネル１３、前パネル１４、補助パネル１５そして表示パネル１６とからなり、表示パネル１６が後パネル１２の少なくとも一部に重なった状態となっている。また、表示パネル１６が重ねられた後パネル１２には、上辺を含む一部をカード状に切り取り可能な切り取り部１２ａとし、この部分に保管する必要のある情報を記載している。
【００１０】
図２は本発明の表示パネル付き易開封性カートンの実施の形態の一実施例のブランクの展開図である。ブランク１０は、折れ線ａ、ｂ、ｃ、ｄ、ｅ、ｆを介して、糊代片１１ａ、側パネル１１、後パネル１２、側パネル１３、前パネル１４、補助パネル１５そして表示パネル１６を順次連設している。なお、折れ線ｆは、表示パネル１６が補助パネル１５から切り取りやすくするために、ミシン目、リード罫、Ｌ字形切れ目などにしている。
【００１１】
また、側パネル１１の上辺には、折れ線ｇを介して天折り込み片１７を連設し、側パネル１１の下辺には、折れ線ｈを介して底折り込み片１８を連設し、後パネル１２の下辺には、折れ線ｉを介して底下パネル１９を連設し、側パネル１３の上辺には、折れ線ｊを介して天折り込み片２０を連設し、側パネル１３の下辺には、折れ線ｋを介して底折り込み片２１を連設し、前パネル１４の上辺には、折れ線ｌを介して天パネル２２を、前パネル１４の下辺には、折れ線ｍを介して底パネル２３を連設し、表示パネル１６の上辺には、折れ線ｎを介して天下パネル２４を連設している。
【００１２】
そして、後パネル１２の開放辺には、表示パネル１６が重ね合わせられる領域内に切り取り手段Ｆとしてのミシン目によりカード状に切り取り可能な切り取り部１２ａを設けている。この切り取り手段Ｆは、ミシン目以外に半切れ、リード罫、Ｌ字形切れ目などを用いることができる。さらに、表示パネル１６において、下辺の一部には、摘み片１６ａを設けてもよい。
【００１３】
また、表示パネル１６の形状は、後パネル１２と同形状の矩形でもよいが、後パネル１２より小さい面積の範囲で、種々の形状とすることができる。
【００１４】
なお、本実施例では、カートンの形態をシールカートン形式としているが、サックカートン形式とすることもできる。また、天パネル２２、天下パネル２４、天折り込み片１７、２０、および底パネル２３、底下パネル１９、底折り込み片１８、２１を連設する位置関係については、本実施例に限定されるものではない。
【００１５】
つぎに、図２に示した展開されたブランク１０からの本実施の形態の表示パネル付き易開封性カートンＡを組立てる工程について図を用いて説明する。
【００１６】
まず、ブランク１０の状態から、折り畳まれた状態の表示パネル付き易開封性カートンＡに組み立てるが、側パネル１１を折れ線ｂで後パネル１２側に折り曲げ、前パネル１４を折れ線ｄで側パネル１３側に折り曲げて、図３−ａ、図３−ｂに示すように、糊代片１１ａと前パネル１４の裏面とを貼り合せる。そして、補助パネル１５を折れ線ｅで側パネル１１側に折り曲げて、図３−ｃに示すように、表示パネル１６と後パネル１２とを貼り合せる。
【００１７】
この時、表示パネル１６を後パネル１２に重ね合わせて、図３−ｄに示すように、スポット状に接着剤を塗布して（接着剤塗布部Ｇ）後パネル１２の表面に表示パネル１６の裏面を貼り合わせる。スポット状の接着剤塗布部Ｇの位置は、後パネル１２の表示パネル１６が重ね合わされた領域であって、カード状の切り取り部１２ａを除いた領域内になる。このスポット的に貼り合わせるには、ホットメルト接着剤を使用する方法とエマルジョン型接着剤を使用する方法があるが、この加工は、従来の製函工程で行うことができる。
【００１８】
また、図３−ｅに示すように、このスポット的に貼り合わせる時に、スポット状の接着剤塗布部Ｇの外周の外側に半切れ部Ｈを設ける方法をとることができる。このことにより、スポット的に貼り合わされた表示パネル１６を後パネル１２から剥がす時に、半切れ部Ｈが紙の層間剥離を起こし、容易にこの部分より表示パネル１６を後パネル１２から剥がすことができる。
【００１９】
つぎに、従来の所謂カートニングマシーンによって、表示パネル付き易開封性カートンＡを起こして組み立て、内容物を充填し、密封する。
【００２０】
まず、折り畳まれた状態から、図４−ａに示すように起こされた状態とする。つぎに、開放された部分の一方を形成するが、例えば、底部３では、二つの底折り込み片１８、２１を内側に折り込み、底下パネル１９を内側に折り曲げ、そして、底パネル２３を内側に折り曲げて底下パネル１７と接着して固定し、図４−ｂに示すように、底部３を形成する。
【００２１】
つぎに、この図４−ｂに示した状態で、天部２の側から内容物をカートン内に挿入し、底部３の形成と同様に、図４−ｃに示すように、二つの折り込み片１７、２０を内側に折り込み、天下パネル２４を内側に折り曲げ、そして、天パネル２０を折り曲げて天下パネル１６と接着して固定し天部２を形成する。このようにして、表示パネル付き易開封性カートンＡの組立ておよび内容物の充填包装を終了する。
【００２２】
上述のように作製された本発明の表示パネル付き易開封性カートンＡを実際に使用する時には、まず、表示パネル１６の下辺あるいは摘み片１６ａを取っ掛かりとして、図５−ａに示すように、表示パネル１６と補助パネル１５との切り取り線で表示パネル１６を切り取りながら後パネル１２から剥がしていく。この表示パネル１６を剥がすことによって、図５−ｂに示すように、天部２において、天下パネル２４と天パネル２２とを開口し開封することができ、内容物を取り出すことができる。また、内容物を取り出した後、図５−ｃに示すように、表示パネル付き易開封性カートンＡの後パネル１２の種々の情報が記載されたカード状の切り取り部１２ａをミシン目に従って切り取り、保管することができる。
【００２３】
【発明の効果】
以上説明したように、本発明の表示パネル付き易開封性カートンによれば、表示パネルを設けることによって、カートンに記載できる表面積を増やすことができ、また、表示パネルは後パネルに重なった状態であり、この表示パネルを補助パネルから切り取りながら後パネルから剥がすことにより、天部が開口して簡単に開封でき、内容物を取り出すことができる。使用後には、後パネルにおいて、保管する必要がある情報を記載したカード状の切り取り部を切り取り保管することができるという効果がある。また、本発明の表示パネル付き易開封性カートンは、従来の製函工程で製造することができ、そして、従来のカートニングマシンによってカートンの組立ておよび内容物の充填を行うこうとができる。
【図面の簡単な説明】
【図１】本発明の表示パネル付き易開封性カートンの実施の形態の一実施例を示す斜視図である。
【図２】本発明の表示パネル付き易開封性カートンの実施の形態の一実施例のブランクの展開図である。
【図３】本発明の表示パネル付き易開封性カートンの実施の形態の一実施例の組み立てを説明する斜視図である。
【図４】本発明の表示パネル付き易開封性カートンの後パネルと表示パネルを貼り合わせる接着剤の塗布部の例を示す概略平面図である。
【図５】本発明の表示パネル付き易開封性カートンの実施の形態の一実施例を実際に使用する方法を説明する斜視図である。
【符号の説明】
Ａ    表示パネル付き易開封性カートン
１    側面
２    天部
３    底部
４    内容物
１０    ブランク
１１    側パネル
１１ａ  糊代片
１２    後パネル
１２ａ  切り取り部
１３    側パネル
１４    前パネル
１５    補助パネル
１６    表示パネル
１６ａ  摘み片
１７    天折り込み片
１８    底折り込み片
１９    底下パネル
２０    天折り込み片
２１    底折り込み片
２２    天パネル
２３    底パネル
２４    天下パネル
Ｆ    切り取り手段
Ｇ    接着剤塗布部
Ｈ    半切れ部
ａ〜ｎ  折れ線
【図１】
0004612175.tif 000002
【図２】
0004612175.tif 000003
【図３】
0004612175.tif 000004
【図４】
0004612175.tif 000005
【図５】
0004612175.tif 000006